(57)【要約】【課題】  略コ字状の金具本体の遊離両端部夫々に対向状態にして締付ボルトを設けることで、特に、建築物の横架材を取付対象物として固定する場合に、固定作業も固定解除作業も容易に行うことが可能となる安全ネット張設金具を提供すること。【解決手段】  安全ネットＡを張設する取付対象物３の固定箇所３Ａに固定する金具本体１に、安全ネットＡを係止する係止部２を設け、金具本体１を略コ字状に形成し、この金具本体１の遊離両端部の一側端部１Ａに第一締付ボルト４を螺着すると共に、この第一締付ボルト４は回動螺動によりボルト先端部４Ａが金具本体１の遊離両端部の他側端部１Ｂに対し接離するように設け、この金具本体１の遊離両端部の他側端部１Ｂに第二締付ボルト５を螺着すると共に、この第二締付ボルト５は回動螺動によりボルト先端部５Ａが金具本体１の遊離両端部の一側端部１Ａに対し接離するように設け、前記第二締付ボルト５の長さ寸法を、前記第一締付ボルト４の長さ寸法より短く設定する。【選択図】      図１
2006336372.tif 000002
【特許請求の範囲】
【請求項１】
安全ネットを張設する取付対象物の固定箇所に固定する金具本体に、安全ネットを係止する係止部を設けた安全ネット張設金具において、前記金具本体を略コ字状に形成し、この金具本体の遊離両端部の一側端部に第一締付ボルトを螺着すると共に、この第一締付ボルトは回動螺動によりボルト先端部が金具本体の遊離両端部の他側端部に対し接離するように設け、この金具本体の遊離両端部の他側端部に第二締付ボルトを螺着すると共に、この第二締付ボルトは回動螺動によりボルト先端部が金具本体の遊離両端部の一側端部に対し接離するように設け、前記第二締付ボルトの長さ寸法を、前記第一締付ボルトの長さ寸法より短く設定し、前記第一締付ボルトを回動螺動してこの第一締付ボルトのボルト先端部を第二締付ボルトのボルト先端部に接近させることにより、この第一締付ボルトと第二締付ボルトとで前記取付対象物を挟持締付固定し得るように構成し、この挟持締付固定状態から第二締付ボルトを緩めることで挟持締付固定解除し得るように構成したことを特徴とする安全ネット張設金具。
【請求項２】
前記第二締付ボルトの長さ寸法を、前記第一締付ボルトより短く且つこの第二締付ボルトを前記金具本体の遊離両端部の他側端部に対し締付螺入限まで螺着した際に、ボルト先端部がこの他側端部より一側端部方向へやや突出する長さ寸法に設定したことを特徴とする請求項１記載の安全ネット張設金具。
【発明の詳細な説明】
【技術分野】
【０００１】
本発明は、例えば、建築物の高所に安全ネットを張設するための安全ネット張設金具に関するものである。
【背景技術】
【０００２】
従来から、高所で作業する作業員が万一足を踏み外して墜落した時、地面などに激突することを防止したり、高所から誤って物を落としたりした時、下方の作業員に当たって負傷することを防ぐために安全ネットが多用されている。
【０００３】
また、出願人は、この安全ネットを張設するために用いる特許第２９６４０７６号（特許文献１）の安全ネット張設金具を確保している。
【０００４】
この特許文献１を簡単に説明すると、金具本体を略コ字状に形成し、この金具本体の遊離両端部の一端にボルトを螺着固定すると共に、このボルトの回動螺動によりボルト先端が遊離両端部の他端に対し接離移動するように設けて、このボルト先端と遊離他端部とで建築物の柱材や梁材などの取付対象物に挟持締付固定可能な固定部を構成し、この固定部の反対側となる前記金具本体の背面に安全ネット周囲を係止するための係止部を設けた構成で、例えば、図２に示すように、安全ネットを張設したい建築途中の建築物の骨組であるＨ鋼のフランジ部に、前記固定部を介して本金具を挟持締付固定し、任意の空間部を囲繞する複数のＨ鋼に対して多数固定したこの安全ネット張設金具の前記各係止部に、安全ネットの周囲部を係止することで骨組間の任意の空間部に安全ネットを張設できる。
【０００５】
【特許文献１】特許第２９６４０７６号公報
【発明の開示】
【発明が解決しようとする課題】
【０００６】
この特許文献１の安全ネット張設金具は、予め建築物の骨組材に固定してからこの金具付の骨組材を組むようにしても良いし、組み付けが終わった骨組材に後付するようにしても良いが、特に、梁材などの横架材に対するこの安全ネット張設金具の固定作業は、地面に横設された横架材に対しても、高所に横設状態で組み付けられた横架材に対しても、作業者がこの横架材の上方側から固定部のボルトの回動締め付け操作を行うことになるため、固定部は、ボルトが上側に配するようにして横架材に固定した方が、上側に位置するボルトを手で回動締付操作し易くなる。
【０００７】
しかし、このようにボルトを上側に配した状態で固定すると、この安全ネットが不要となる頃には、横架材の上方に床等が形成されてしまっているため、ボルトを緩めて本金具（と安全ネット）を除去しようとする際には床材等が邪魔になり、この床材等と本金具との狭い隙間に工具を挿入して作業を行わなければならず、この本金具の除去作業が非常に困難な作業となってしまっていた。
【０００８】
一方、この安全ネット張設金具は、ボルトを下側に配して固定部を横架材に固定することもできるので、このようにすれば、横架材の下方から床材等を邪魔にすることなく工具等を伸ばしてボルトを緩めることができ、本金具の除去作業を容易に行うことができる。しかしながら、このようにして固定する場合は、逆に、固定時に金具の下方に手を伸ばしてのボルト締付作業を要求されるために、この固定作業が厄介となってしまう。
【０００９】
本発明は、このような従来の安全ネット張設金具の問題点を見い出し、これを解決すべく更に改良したもので、略コ字状の金具本体の遊離両端部夫々に対向状態にして締付ボルトを設けて、横架材を取付対象物として固定する場合においても、固定時には上側に配された締付ボルトを操作して容易に固定作業を行うことができると共に、固定解除時にはたとえ上方に床等が形成されている場合であっても、下側に配された締付ボルトを操作して容易に固定解除作業を行うことができる画期的な安全ネット張設金具を提供するものである。
【課題を解決するための手段】
【００１０】
添付図面を参照して本発明の要旨を説明する。
【００１１】
安全ネットＡを張設する取付対象物３の固定箇所３Ａに固定する金具本体１に、安全ネットＡを係止する係止部２を設けた安全ネット張設金具において、前記金具本体１を略コ字状に形成し、この金具本体１の遊離両端部の一側端部１Ａに第一締付ボルト４を螺着すると共に、この第一締付ボルト４は回動螺動によりボルト先端部４Ａが金具本体１の遊離両端部の他側端部１Ｂに対し接離するように設け、この金具本体１の遊離両端部の他側端部１Ｂに第二締付ボルト５を螺着すると共に、この第二締付ボルト５は回動螺動によりボルト先端部５Ａが金具本体１の遊離両端部の一側端部１Ａに対し接離するように設け、前記第二締付ボルト５の長さ寸法を、前記第一締付ボルト４の長さ寸法より短く設定し、前記第一締付ボルト４を回動螺動してこの第一締付ボルト４のボルト先端部４Ａを第二締付ボルト５のボルト先端部５Ａに接近させることにより、この第一締付ボルト４と第二締付ボルト５とで前記取付対象物３を挟持締付固定し得るように構成し、この挟持締付固定状態から第二締付ボルト５を緩めることで挟持締付固定解除し得るように構成したことを特徴とする安全ネット張設金具に係るものである。
【００１２】
また、前記第二締付ボルト５の長さ寸法を、前記第一締付ボルト４より短く且つこの第二締付ボルト５を前記金具本体１の遊離両端部の他側端部１Ｂに対し締付螺入限まで螺着した際に、ボルト先端部５Ａがこの他側端部１Ｂより一側端部１Ａ方向へやや突出する長さ寸法に設定したことを特徴とする請求項１記載の安全ネット張設金具に係るものである。
【発明の効果】
【００１３】
本発明は上述のように構成したから、特に、取付対象物としての建築用横架材に本金具を固定する場合には、第一締付ボルトを上側に配し、第二締付ボルトを下側に配して固定部を固定することで、固定時には、上側に配した第一締付ボルトを回動締付操作して容易に固定作業を行うことができ、また、固定解除時には、下側に配した第二締付ボルトを本金具の下方から緩めて解除操作できるので、たとえ、建築用横架材の上方に床等ができあがっていても、床材等を邪魔とすることなく簡単に第二締付ボルトを緩めて本金具を取り外すことが可能となり、しかも、第二締付ボルトの長さ寸法を第一締付ボルトの長さ寸法より短く設定しているため、第二締付ボルトより長さのある第一締付ボルトの回動螺動調整だけで先行特許文献１と同様に取付対象物の固定箇所の異なる厚みに良好に対応して挟持締付固定できるし、たとえ第二締付ボルトをも緩めなければならないほど厚みのある固定箇所に対して固定する場合であっても、短い第二締付ボルトの緩め回動操作量は少量で済むこととなり、先行特許文献１に対してさほど作業性を損なうことなく、良好な作業性を発揮することになるなど、極めて実用性に秀れた画期的な安全ネット張設金具となる。
【００１４】
また、請求項２記載の発明においては、前記作用・効果を確実に発揮する第二締付ボルトを構成できる一層実用性に秀れた構成の安全ネット張設金具となる。
【発明を実施するための最良の形態】
【００１５】
好適と考える本発明の実施形態（発明をどのように実施するか）を、図面に基づいて本発明の作用を示して簡単に説明する。
【００１６】
例えば、建築途中の建築物の骨組材などを取付対象物３とし、この取付対象物３の固定箇所３Ａを金具本体１の遊離両端部間の第一締付ボルト４のボルト先端部４Ａと第二締付ボルト５のボルト先端部５Ａ間に配設し、第一締付ボルト４を締付回動操作することでボルト先端部４Ａを第二締付ボルト５のボルト先端部５Ａに接近移動させて、この第一締付ボルト４のボルト先端部４Ａと第二締付ボルト５のボルト先端部５Ａとの間に固定箇所３Ａを挟持締付固定することで、本金具を取付対象物３に取付固定できる。
【００１７】
このようにして取付固定した多数の本金具の係止部２に安全ネットＡを係止することで、建築物の任意の空間部に安全ネットＡを張設することができる。
【００１８】
また、特に、取付対象物３として梁材などの建築用横架材に対して本金具を取付固定する場合、上記特許文献１のように挟持締付固定用の締付ボルトがコ字状の金具本体の遊離両端部の一方にしかない構成であると、取付対象物に対して締付ボルトを上側に配した状態で本金具を固定することで固定作業は容易に行えるが、安全ネットと共に金具を取り去ろうとする際に横架材の上方に床等が形成されてしまっていると、上側に位置している締付ボルトを緩めることが非常に困難な作業となってしまうし、逆に、締付ボルトを下側にして使用（固定）した場合には、完成後の金具除去時にボルトを緩め易くなる反面、固定時には下方に手を伸ばしてのボルト締付作業を要求されるために、この固定作業が厄介となってしまうという問題がある。
【００１９】
しかし、本発明によれば、固定時には、取付対象物３に対して第一締付ボルト４を上側に配するようにして固定することで、この上側に配した第一締付ボルト４を回動締付操作してこの固定作業を容易に行うことができるし、本金具除去時に本金具（取付対象物３）上に床等が完成していても、取付対象物３に対して下側に配された第二締付ボルト５を回動操作することで床等を邪魔にすることなく固定状態を緩めることができるので、この取り外し作業も容易に行うことができる。
【００２０】
また、この際、本発明では、第一締付ボルト４と第二締付ボルト５との二本のボルトを備えた構成であるが、固定操作は、先行特許文献１と同様に第一締付ボルト４だけを操作することでも行える。しかも、この第一締付ボルト４は、第二締付ボルト６より長さのあるものであるため、回動螺動範囲を広くすることができて様々な厚みの固定箇所３Ａに対して良好に対応して挟持締付固定できる。
【００２１】
また、例えば、第一締付ボルト４と第二締付ボルト５とを双方共長くするような構成であると、非常に厚い取付対象物３の固定箇所３Ａに対して固定する際に、第一締付ボルト４も第二締付ボルト５も沢山緩めないと各ボルト先端部４Ａ・５Ａ間に固定箇所３Ａを挿入するだけの十分な間隙を確保できなくなってしまう場合があり、この場合には二本のボルトを緩める操作が非常に煩わしくなるが、本発明では、第二締付ボルト５を第一締付ボルト５よりも短く設定したことで、第一締付ボルト４を操作するだけで各ボルト先端部４Ａ・５Ａ間を広く確保することができるし、たとえ第二締付ボルト５をも緩めなければならないほど厚みのある取付対象物３の固定箇所３Ａに固定する場合であっても、この長さのない第二締付ボルト５の緩め回動操作量は少量で済むので、先行特許文献１に対してさほど作業性を損なうことなく、良好な作業性を発揮することになる。
【００２２】
また、例えば、前記第二締付ボルト５を、固定作業を行う前に予め前記金具本体１の遊離両端部の他側端部１Ｂに対し締付螺入限まで螺着しておけば、第一締付ボルト４の締付操作中等にこの第二締付ボルト５が不意に回動してしまうことが防止されるので、固定作業を容易に行うことができる。
【００２３】
また、例えば、この第二締付ボルト５を締付螺入限まで螺着した際に、ボルト先端部５Ａがこの他側端部１Ｂより一側端部１Ａ方向へやや突出する長さ寸法に設定すれば、前記第一締付ボルト４だけの回動操作により各ボルト先端部４Ａ・５Ａ間に十分に広い固定箇所３Ａの挿入間隙を確保できることになるので、この第一締付ボルト４の操作だけで固定作業を行えることになり、特許文献１と同等の良好な固定作業性を確実に発揮でき、極めて作業性に秀れる。
【実施例１】
【００２４】
本発明の具体的な実施例１について図１〜図３に基づいて説明する。
【００２５】
本実施例は、図１に示すように、安全ネットＡを張設する取付対象物３の固定箇所３Ａに固定可能な金具本体１に、安全ネットＡを係止する係止部２を設けている。
【００２６】
具体的には、金具本体１は略コ字状を呈する形状に形成し、この金具本体１の中間部分の、遊離両端部の突出方向に対して反対側に位置する背面部１Ｃに前記係止部２を突設した構成としている。
【００２７】
また、係止部２は、略Ｌ字状の金属製棒体２Ａを金具本体１の前記背面部１Ｃの上下二箇所に夫々付設し、この金属製棒体２Ａの夫々の先端部を、図２に示すように上側に付設した金属製棒体２Ａの先端部は下方へ向けて斜設し、下側に付設した金属製棒体２Ａの先端部は上方へ向けて斜設し、更に、この斜設する夫々の金属製棒体２Ａの先端側部を略平行状態となるように設けて、この両先端側部間の間隔部から安全ネットＡ周囲の張設ロープ６を引っ掛け係止できる構成としている。
【００２８】
また、本実施例の金具本体１の、取付対象物３への固定構造は、遊離両端部の夫々に、この遊離両端部の並設方向に貫通する第一螺子孔10と第二螺子孔11とを形成し、この第一螺子孔10と第二螺子孔11とに第一締付ボルト４と第二締付ボルト５を夫々のボルト先端部４Ａ・５Ａが突き合うようにして螺着し、この第一締付ボルト４と第二締付ボルト５の回動螺動により夫々のボルト先端部４Ａ・５Ａが対向方向に接離移動するように設け、この夫々のボルト先端部４Ａ・５Ａで取付対象物３の固定箇所３Ａに対し挟持締付固定し得るように構成している。
【００２９】
即ち、金具本体１を取付対象物３の固定箇所３Ａに被嵌して（金具本体１の遊離両端部間に取付対象物３の固定箇所３Ａを配設して）、例えば前記第一締付ボルト４をそのボルト先端部４Ａ・５Ａが前記第二締付ボルト５のボルト先端部５Ａ方向に接近するように回動螺動させると、この第一締付ボルト４と第二締付ボルト５の各ボルト先端部４Ａ・５Ａ間に前記固定箇所３Ａが挟持締付固定される構成としている。
【００３０】
また、本実施例では、第一締付ボルト４に対し、第二締付ボルト５の長さ寸法を短く設定している。
【００３１】
具体的には、第一締付ボルト４は、固定箇所３Ａの厚みに応じた回動螺動操作による挟持幅の調整を幅広く行えるように長めの長さ寸法に設定し、第二締付ボルト５は、この第二締付ボルト５を前記金具本体１の遊離両端部の他側端部１Ｂに対し締付螺入限まで螺着した際に、ボルト先端部５Ａがこの他側端部１Ｂより一側端部１Ａ方向へやや突出する長さ寸法であって、且つ挟持締付固定状態を緩めることができるだけの長さを有する短い長さ寸法に設定している。
【００３２】
更に詳しくは、第一締付ボルト４は、先行特許文献１の締付ボルトと同等の長さを有する構成とし、第二締付ボルト５は、この第一締付ボルト４の１／３程度の長さを有する構成としている。
【００３３】
次に、以上の如く構成された本実施例の使用方法を説明する。尚、本実施例では、建築物の梁材（横架材）となるＨ鋼を取付対象物３とし、このＨ鋼のフランジ部を固定箇所３Ａとしてこのフランジ部３Ａを第一締付ボルト４と第二締付ボルト５とで挟持締付固定する構成としている。
【００３４】
この場合、本実施例では、図２，図３に示したように、長さのある第一締付ボルト４を上側に、短い第二締付ボルト５を下側にしてフランジ部３Ａを固定する。また、基本的に取付固定時には、第二締付ボルト５は他側端部１Ｂに対し締付螺入限まで締付けておく。そして、必要に応じて上側の第一締付ボルト４を回動操作して各ボルト先端部４Ａ・５Ａ間の間隔を調整し、この各ボルト先端部４Ａ・５Ａ間に固定箇所３Ａを配した上で、第一締付ボルト４を締付操作してフランジ部３Ａに固定し、係止部２に安全ネットＡ周囲の張設ロープ６を係止する。
【００３５】
安全ネットＡが不要となった際には、Ｈ鋼３（梁材）上方に床等ができあがっているため、本実施例のように梁材に本金具を固定した場合には、床材等が邪魔となって上側の第一締付ボルト４を緩めることは困難となるが、床材の下方から第二締付ボルト５を、例えばソケットレンチなどの工具７を利用して簡単に緩めることができ、本金具並びに安全ネットＡを簡単に取り去ることができる構成としている（図３参照。）。
【実施例２】
【００３６】
本発明の具体的な実施例２について図４に基づいて説明する。
【００３７】
本実施例は、前記実施例１に対し、コ字状の金具本体１の形状と、係止部２の構成を異ならせた場合である。
【００３８】
具体的には、本実施例の金具本体１は、前記実施例１の金具本体１に比して横幅を有する形状とすると共に、一側端部１Ａを先端側程徐々に薄厚となる形状に形成した場合である。
【００３９】
また、本実施例の係止部２は、一本の金属製棒体２Ｂを環状に屈曲形成すると共に、この棒体２Ｂの両端部が互いに接触せずに間隔を置いた略平行状態となるように屈曲形成して、この両端部間の間隔部から安全ネットＡ周囲の張設ロープ６を引っ掛け係止できる構成とし、この係止部２を構成する棒体２Ｂの中間部を、金具本体１の背面部１Ｃに付設して構成した場合である。
【００４０】
尚、本発明は、実施例１，２に限られるものではなく、各構成要件の具体的構成は適宜設計し得るものである。
【図面の簡単な説明】
【００４１】
【図１】実施例１を示す斜視図である。
【図２】実施例１の使用状態を示す説明図である。
【図３】実施例１の固定解除操作時の説明図である。
【図４】実施例２を示す斜視図である。
【符号の説明】
【００４２】
１  金具本体
１Ａ  一側端部
１Ｂ  他側端部
２  係止部
３  取付対象物
３Ａ  固定箇所
４  第一締付ボルト
４Ａ  ボルト先端部
５  第二締付ボルト
５Ａ  ボルト先端部
Ａ  安全ネット
【図１】
2006336372.tif 000003
【図２】
2006336372.tif 000004
【図３】
2006336372.tif 000005
【図４】
2006336372.tif 000006